(57)【特許請求の範囲】
【請求項１】
液透過性の内面シートと液不透過性の外面シートと両シート間に挟まれた液吸収体とを有する積層体によって、前記内面シートが内側に向く袋体が形成され、この袋体に開口部が設けられた尿取りパッドにおいて、
前記袋体は、身体に対面する身体装着側と、この身体装着側と厚さ方向の逆側に位置する裏側とを有しており、
前記袋体の対向する一方の端部を上端、他方の端部を下端とし、上端から下端に向う方向を縦方向、前記縦方向と直交し且つ前記厚さ方向と直交する方向を横方向としたときに、
前記袋体は前記上端と前記下端において閉鎖され、前記上端は前記横方向に延び、前記下端は前記厚み方向に延びており、
前記身体装着側では、前記上端と前記下端との間で、積層体の前記縦方向へ延びる縁部どうしが対向しており、この対向する縁部間に、前記縦方向の開口寸法が横方向の開口寸法よりも大きい縦長形状である開口部が形成され、前記縁部どうしが前記開口部以外の部分で接合されていることを特徴とする尿取りパッド。
【請求項２】
前記開口部は、前記上端側に寄った位置に開口し、この開口部よりも下端側では、前記袋体内に尿吸収空間が形成されている請求項１記載の尿取りパッド。
【請求項３】
前記袋体の内側の前記内面シートの表面には、前記開口部と対向する位置から前記尿吸収空間へ延びる、尿案内層が設けられている請求項２記載の尿取りパッド。
【請求項４】
前記袋体の上端と下端とで、積層体の縁部どうしが接合されている請求項１ないし３のいずれかに記載の尿取りパッド。
【請求項５】
前記袋体の下端で積層体が曲げられ、上端で積層体の縁部どうしが接合されている請求項１ないし３のいずれかに記載の尿取りパッド。
【請求項６】
前記開口部では、積層体の対向する縁部のそれぞれに弾性板が取り付けられ、前記弾性板の両端を縦方向から押すことで前記開口部が横方向へ開口可能とされた請求項１ないし５のいずれかに記載の尿取りパッド。
【請求項７】
前記弾性板の対向面に、凹凸部が形成されている請求項６記載の尿取りパッド。
【発明の詳細な説明】
【０００１】
【発明の属する技術分野】
本発明は、尿失禁用などとして使用される尿取りパッドに係り、特に、股間部に安定して装着でき、また男性用として使用したときにペニスから外れにくく、さらに十分な尿吸収能力を発揮できる尿取りパッドに関する。
【０００２】
【従来の技術】
尿失禁用などとして使用される男性用尿取りパッドは、液透過性の内面シートと、液不透過性の外面シートと、両シート間に挟まれた吸収体とから成る積層体により形成されている。前記吸収体は、パルプなどの吸水性繊維、または前記吸収性繊維と高吸収性ポリマー（ＳＡＰ）との混合体などにより形成されている。
【０００３】
その構造は、前記積層体が平坦な形状に形成されており、使用時にペニスを囲むように丸めて使用するもの、または前記積層体が２つ折りとされその両側縁部が接合されて、上端に開口部を有する三角錐形状などの袋体とされたものがある。
【０００４】
【発明が解決しようとする課題】
前記の積層体が平坦な形状に形成されている尿取りパッドは、使用時に、ペニスを囲むように丸めて使用することが必要であるため、装着が面倒である。また丸めた形状が安定せず、丸めた積層体の隙間から尿が漏れやすい。特に装着状態のまま寝返りなどで人体の体位が変わるときにパッドが変形し、前記の漏れが生じやすくなる。
【０００５】
一方、積層体により袋体が形成された尿取りパッドは、ペニスを囲むように丸める手間が省け、装着が容易である。しかしこの種のパッドの袋体は例えば三角錐形状で上端に開口部が形成されているものであるため、この開口部から袋体の内部にペニスを挿入した状態で、開口部とペニスとの位置関係が安定せず、装着状態で体位を変えたときにペニスが開口部から外れることがある。また開口部とペニスとの隙間から外部に尿が漏れで易い。
さらに股間部に装着されるものであるため、袋体の容積をあまり大きくできず、そのため、尿の吸収許容量が小さい。
【０００６】
本発明は上記従来の課題を解決するものであり、積層体で形成された袋体の開口部が泌尿器にフィットしやすく、また袋体が股間部において位置ずれしにくく、その結果、装着状態で人体の体位が変ったときにも装着状態を安定できる尿取りパッドを提供することを目的としている。
【０００７】
また、袋体が股間部で安定しやすい形状であるが、さらに尿の吸収容量を多くできる尿取りパッドを提供することを目的としている。
さらに、開口部にペニスを挟む弾性材を設けることにより、ペニスと開口部とをフィットしやすくし、この場合に、ペニスに対する加圧違和感を少なくし、排尿を阻害しないようにした尿取りパッドを提供することを目的としている。
【０００８】
【課題を解決するための手段】
本発明は、液透過性の内面シートと液不透過性の外面シートと両シート間に挟まれた液吸収体とを有する積層体によって、前記内面シートが内側に向く袋体が形成され、この袋体に開口部が設けられた尿取りパッドにおいて、
前記袋体は、身体に対面する身体装着側と、この身体装着側と厚さ方向の逆側に位置する裏側とを有しており、
前記袋体の対向する一方の端部を上端、他方の端部を下端とし、上端から下端に向う方向を縦方向、前記縦方向と直交し且つ前記厚さ方向と直交する方向を横方向としたときに、
前記袋体は前記上端と前記下端において閉鎖され、前記上端は前記横方向に延び、前記下端は前記厚み方向に延びており、
前記身体装着側では、前記上端と前記下端との間で、積層体の前記縦方向へ延びる縁部どうしが対向しており、この対向する縁部間に、前記縦方向の開口寸法が横方向の開口寸法よりも大きい縦長形状である開口部が形成され、前記縁部どうしが前記開口部以外の部分で接合されていることを特徴とするものである。
【０００９】
上記発明では、袋体に形成された開口部が、上端と下端との間の側面において、縦方向に長く形成されている。そのため、開口部から袋体内にペニスを挿入した状態で、ペニスが開口部に対して横方向へ外れにくくなり、例えば人体の姿勢が動き、おむつ内でパッドが移動しようとしたときに、開口部からペニスが外れにくくなる。
【００１０】
また縦長の開口部の横方向の縁部でペニスに加圧力が働くが、尿道はペニスの横方向のほぼ中央で且つやや下に設けられているため、ペニスに与えられる前記横方向からの加圧力は、上下からペニスに与えられる圧迫に比べて違和感がなく、排尿しやすくなる。
【００１１】
また、前記開口部は、前記上端側に寄った位置に開口し、この開口部よりも下端側では、前記袋体内に尿吸収空間が形成されていることが好ましい。
この構成では、袋体の下端側の尿吸収空間により、多量の尿を吸収できる。
【００１２】
また、前記袋体の内側の前記内面シートの表面には、前記開口部と対向する位置から前記尿吸収空間へ延びる、尿案内層が設けられていることが好ましい。
【００１３】
さらに本発明の尿取りパッドは、前記袋体の上端と下端とで、積層体の縁部どうしが接合されており、あるいは縁部近傍で積層体どうしが接合されており、この接合部の延びる方向が、前記上端と下端とで直交する向きである。あるいは前記袋体の下端で積層体が曲げられ、上端で積層体の縁部どうしが接合されており、あるいは縁部近傍で積層体どうしが接合されており、前記下端での曲げ部の延びる方向と、上端での接合部の延びる方向が互いに直交する向きである。
【００１４】
この構造では、開口部が泌尿器に当てられたときに、前方への膨らみが小さく、また袋体の下端側は股間部内に装着しやすくなるため、ずれが生じない。
【００１５】
なお、積層体の前記縁部とは、積層体の吸収コアが存在しておらず内面シートと外面シートとが接着または熱シールなどで接合されている領域を意味する。あるいは前記縁部が、内面シートと外面シートの間に吸収コアが存在している領域であってもよい。また上端と下端、または上端において積層体どうしが接合されているその接合領域は、前記のように吸収コアが存在していない縁部のみで接合されていることが好ましいが、前記縁部よりも内側で吸収コアが存在している領域まで接合領域が広がっていてもよい。さらに前記縁部どうしの接合は必ずしも縁の末端部が接合されていることに限定されるものではなく、前記末端部よりも内側の領域で吸収体どうしが接合されていてもよい。
【００１６】
本発明では、前記袋体の上端と下端との間で、積層体の前記縦方向の延びる縁部どうしが対向し、この対向する縁部間に前記開口部が形成され、この開口部以外の部分で前記縁部あるいはその近傍で積層体どうしが接合されているが、さらに、開口部が形成された身体装着側と逆側に、接合部が形成されない構造にすると、おむつの内側に尿取りパッドを設置したときに、尿取りパッドとおむつとの密着性がよくなり、装着状態が安定する。
【００１７】
また、前記開口部では、積層体の対向する縁部のそれぞれに弾性材が取り付けられ、前記弾性材の両端を縦方向から押すことで前記開口部が横方向へ開口可能とされたものが好ましく、さらに前記弾性材の対向面に、凹凸部を形成するなどの処理が施され、摩擦抵抗を高めた構造となっていることが好ましい。
この構成では、開口部がペニスから外れにくくなる。また弾性材によりペニスが横方向から加圧されるので、ペニスへの圧迫感が少ない。
【００１８】
【発明の実施の形態】
図１は本発明の尿取りパッドを身体装着側を手前にして示した斜視図、図２は開口部を開いた状態を示す斜視図、図３は図１と図２をＩＩＩ側から見た側面図、図４は身体装着側と逆側から見た背面図、図５は図３のＶ−Ｖ線の断面図、図６は図３のＶＩ−ＶＩ線の断面図、図７は図６の一部拡大図、図８は積層体を展開した状態を示す斜視図、図９（Ａ）（Ｂ）は他の実施の形態での袋体の組み立て状態を示す斜視図である。
図１以下の実施の形態は、大人用の男性用尿取りパッドを一例として示している。
【００１９】
この男性用尿取りパッドの袋体１は、上端２と下端３を有し、上端２から下端３に向うＹ方向が縦方向、これと直交する左右方向（Ｘ方向）が横方向、Ｚ方向が厚さ方向であり、厚さ方向では、図１、図２の手前側が身体装着側４、これと逆の図４に現れている側が裏側５である。
【００２０】
袋体１は積層体１０により構成されている。図５および図６の断面図に示すように、積層体１０は、内面シート１１と、外面シート１２と、両シートの間に挟まれた吸収コア（液吸収体）１３とから構成されている。内面シート１１は液透過性シートであり、例えば疎水性繊維に親水処理したものまたは親水性繊維で形成された、ポイントボンド、エアースルー、スパンボンド、あるいはスパンレースなどの不織布である。
【００２１】
外面シート１２は液不透過性で、例えばオレフィン系の樹脂シートなどで形成されている。好ましくは外面シート１２は透明または半透明のポリエチレンフィルムの外面にポイントボンド不織布が重ねられたものである。この外面シート１２を使用すると、吸収コア１３が多量の尿を吸収して変色したときに、外部から視覚により確認できる。また外面が不織布であるため、おむつの内側に重ねて使用したときに、おむつとの滑りを抑制し、ずれ止めができるようになる。また、図４に示す裏側５の表面に、おむつとのずれ止めのための粘着層を設けてもよい。
【００２２】
吸収コア１３は、粉砕パルプあるいは粉砕パルプと高吸収性ポリマー（ＳＡＰ）との混合物により形成され、さらにティッシュなどの吸収性シートで包まれて構成されている。または、吸収コア１３が、親水性繊維で形成された不織布とＳＡＰとで構成され、前記ＳＡＰが前記不織布の間に介在し、不織布どうしが部分的に接合されているものであってもよい。
【００２３】
図８は、袋体１を構成する前記積層体１０を展開して示したものであるが、展開状態の積層体１０は平坦なシート状であり、各縁部１４，１５，１６，１７のそれぞれの部分では吸収コア１３が存在せず前記内面シート１１と外面シート１２が吸収コア１３の外側に延出し且つ両シート１１と１２とが接着または熱シールあるいは接着および熱シールなどで接合されている。
【００２４】
図８に示す展開状態では、上端の縁部１４と下端の縁部１５が平行、横方向両側で且つ上側の縁部１７，１７側は互いに平行、横方向両側の縁部１６と１６は下端側で互いに接近する傾斜縁部である。袋体１が形成された状態で、前記縁部１７と１７との対向部で開口部２０が形成される。
【００２５】
また前記縁部１７，１７には、ペニスに対する締め付け手段（保持手段）を構成する弾性材１８，１８がそれぞれ接着固定されている。前記弾性材１８，１８は、肌に対して柔らかい接触感触を与えるもので、かつ弾性復元力があまり強くないものが好ましく、例えば硬質発泡ウレタンなどで形成される。またはプラスチック板、あるいは樹脂を含浸した厚紙などで形成することも可能である。
【００２６】
図８に示す積層体１０の下端の縁部１５は、横方向（Ｘ方向）の中心で且つ縦方向（Ｙ方向）に延びる中心線Ｌｙ０で谷折りされ、縁部１５の左右半分どうしが厚さ方向（Ｚ方向）に延びる仮想線Ｌｚ上で互いに接合される。上端の縁部１４は、横方向（Ｘ方向）の両端からそれぞれほぼ１／４の箇所に設定される折り曲げ線Ｌｙ１で折り曲げられ、縁部１４どうしが接着接合される。
【００２７】
横方向（Ｘ方向）の両側の縁部１６と１６は、縦方向に斜めに延びる仮想線Ｌαの部分で合掌合わせで互いに接着接合される。また弾性材１８，１８が設けられた縁部１７と１７は弾性材１８，１８を除く上下部分のみが互いに接着接合される。これら各縁部どうしの接合は、ホットメルト型接着剤を使用した接着、または熱シールあるいは接着剤と熱シールとの複合により行われる。
【００２８】
その結果、図1と図２に示すように袋体１が形成されるが、この袋体１は、上端２で縁部１４どうしが接合されて接合部１４ａが形成されて閉じられ、下端３で縁部１５どうしが接合されて接合部１５ａが形成されて閉じられている。上端２の接合部１４ａは横方向（Ｘ方向）へ延び、下端３の接合部１５ａは厚さ方向（Ｚ方向）へ延び、接合部１４ａと１５ａは互いに直交する向きに延びて、袋体１がいわゆるテトラポット型の立体形状である。
【００２９】
また身体装着側４では、縁部１６どうしが接合された接合部１６ａが形成され、また上端２側では縁部１７どうしが接合された接合部１７ａが形成され、前記上端２に寄った位置、好ましくは上端２にほぼ連続した位置に、弾性材１８と１８とが対向する開口部２０が形成されている。この開口部２０は、上端２と下端３との間で縦方向に延びる縦長形状（スリット形状）である。
【００３０】
また前記開口部２０が形成されている部分よりも下端３側の袋体１の内部には、比較的内容積の大きい尿吸収空間２１が形成されている。なお、図４に示すように身体装着側４と逆側の裏側５はほぼ三角形状であるが、この裏側には接合部が形成されていない。
【００３１】
さらに、好ましい実施の形態では、図３、図４および図５、図６に示すように、裏側５を形成する積層体１０の内面シート１１の表面に尿案内層２２が設けられる。この尿案内層２２は、親水処理を施した疎水性繊維、または親水性繊維で形成された密度の低い繊維層であり、例えばエアースルー不織布である。この尿案内層２２は、開口部２０に対向する位置から前記尿吸収空間２１に向って縦方向に延びている。
【００３２】
上記男性用尿取りパッドの使用に際しては、身体装着側４を身体の下腹部に向け、図２に示すように、弾性材１８と１８の縦方向（Ｙ方向）両端を指で掴んで縦方向への圧縮力を与える。すると、各弾性材１８，１８が互いに開く方向へ座屈変形して、開口部２０が左右に開かれる。図３に示すように開口部２０から袋体１内にペニス２５を挿入して、弾性材１８，１８に与えられている圧縮力を除去すると、弾性材１８，１８が弾性復元して、ペニス２５の根元部分が、弾性材１８，１８により横方向両側から軽く挟圧されて保持される。
【００３３】
図３に示すようにペニス２５の尿道２５ａは、ペニス２５の下側で且つ左右方向のほぼ中心に位置している。よってペニス２５を上下方向（Ｚ方向）から加圧すると尿道２５ａが圧迫され、排尿時に違和感を感じ、さらに排尿時の尿速が衰えるが、前記尿取りパッドでは、弾性材１８，１８によりペニス２５が左右両側から挟圧されるため、尿道圧迫がなく、違和感を感じにくく、排尿時の尿速が衰えない。
【００３４】
前記弾性材１８，１８は発泡材などで形成されて、座屈変形での復帰力でペニス２５を軽く挟圧するものであるため、ペニス２５に与えられる圧迫力はきわめて弱い。また図７に示すように、弾性材１８，１８の対向面に凹部１８ａおよび凸部１８ｂを形成しておくと、凹部および凸部がペニス２５に当たり、その摩擦によりペニス２５と弾性材１８，１８との間の滑りを抑制でき、ペニス２５が開口部２０から外れにくくなる。
【００３５】
また、開口部２０が、上端２と下端３との間の側面において、縦方向に長く形成されているため、開口部２０から袋体１内にペニス２５を挿入した状態で、ペニス２５が開口部２０に対して横方向へ外れにくくなり、例えば人体の姿勢が動き、おむつ内でパッドが移動しようとしたときに、開口部２０からペニス２５が外れにくくなる。
【００３６】
この尿取りパッドを構成する袋体１は、開口部２０が形成されている部分の厚さ方向（Ｚ方向）の寸法が、下端３での厚さ方向の寸法よりも十分に小さい。すなわち、開口部２０が形成されている部分では横方向（Ｘ方向）へ広がる偏平形状で、下端３では厚さ方向（Ｚ方向）へ広がる偏平形状である。
【００３７】
よって、袋体１を下腹部に装着すると、上端２および開口部２０が形成されている部分では身体の前方（Ｚ方向）への膨らみが小さい。よってこの尿取りパッドを装着した状態で、さらにその上からおむつを装着したときに、下腹部でのおむつの前方への膨らみが小さく、よっておむつによって尿取りパッドが下腹部へ安定して押し付けられる。さらに袋体１の下端３は股間部に挟まるようになるため、装着者が寝た姿勢で体位を変えても、おむつの中で尿取りパッドが左右に位置ずれし難い。
このように、おむつ内での尿取りパッドが安定し、体位の変化による位置ずれが生じ難いため、ペニス２５が開口部２０から抜け出ることが起こり難い。
【００３８】
図３に示す状態で失禁または排尿すると、尿は開口部２０よりも下側の尿吸収空間２１内で、吸収コア１３に吸収される。尿吸収空間２１では、袋体１が厚み方向（Ｚ方向）に延びて、積層体１０により比較的広い尿吸収面積を確保できるため、尿の吸収許容量が非常に多くなる。
【００３９】
また、開口部２０が形成されている部分では、袋体１が横方向へ広がりを有し、開口部２０の左右両側に積層体１０で袋状に形成された余裕空間２３が形成されている（図６参照）。よって尿取りパッドを装着した状態で寝返りをうつなどして体位が横向きになったときに、袋体１内で横方向に流れる尿を、前記余裕空間２３内の吸収コア１３により吸収することができる。よって横向き状態で排尿したときに、開口部２０から外部へ尿が漏れることがない。
【００４０】
さらに、開口部２０と対向する部分から下方の尿吸収空間２１内に延びる尿案内層２２が設けられていると、尿を吸収許容量の大きい尿吸収空間２１内に導くことができるため、横向き姿勢などで排尿したとき、尿吸収空間２１の吸収能力を利用して、多量の尿であっても吸収でき、この場合も開口部２０からの尿漏れを防止できる。
【００４１】
図９は本発明の他の実施の形態の尿取りパッドを示す斜視図である。
この実施の形態では、図９（Ａ）に示すように、内面シート１１、外面シート１２、両シート間に挟まれた吸収コアを有する長方形状の積層体１０Ａが使用される。積層体１０Ａの短辺側の縁部２６，２６および長辺側の縁部２７，２７では、内面シート１１と外面シート１２とが接着などで接合されている。
【００４２】
図９（Ａ）に示すように、積層体１０ＡをＵ字形状に曲げる。さらに図９（Ｂ）に示すように、長辺側の縁部２７と２７を互いに接合し、縦方向に延びる接合部２７ａおよび２７ｂを形成する。上端では、短辺側の縁部２６を横方向（Ｘ方向）へ平坦となるように広げて、縁部２６どうしを接合して接合部２６ａを形成する。
【００４３】
その結果、上端２では接合部２６ａが横方向（Ｘ方向）に延び、下端３では積層体１０Ａの折曲部２８が厚み方向（Ｚ方向）へ延びる袋体１Ａが形成される。身体装着側４に接合部２７ａが現われるが、この接合部２７ａの上端２寄りの部分に弾性材１８，１８を固定することにより、開口部２０が形成される。また裏側５は縦方向の全長にわたって接合部２７ｂで閉じられている。
【００４４】
図９（Ｂ）に示す尿取りパッドも、開口部２０の下方に厚み方向へ延びる尿吸収空間２１が形成され、開口部２０の横方向の両側方に余裕空間２３，２３が形成されるため、図１と図２に示すのと同様の尿吸収機能を発揮できる。
また図９（Ｂ）に示すものでは、下端３の折曲部２８で積層体１０Ａが曲げられているため、この下端３に吸収コア１３が存在しており、下端３での尿吸収能力が高くなる。
【００４５】
なお、前記各実施の形態では、開口部２０に弾性材１８，１８が設けられているが、この弾性材１８，１８を設けず、積層体の縁部の間でスリット状の開口部２０を形成してもよい。
また前記開口部２０を横方向（Ｘ方向）へやや広がる形状とし、この部分に尿漏れを含むギャザーなどの身体に密着する横漏れ防止手段を設けることで、女性の泌尿器に装着して使用することもできる。また乳児や幼児の男子用として使用することも可能である。
【００４６】
【発明の効果】
以上のように本発明の尿取りパッドは、身体に安定して装着され、位置ずれがし難い。また泌尿器と確実にフィットし、尿の漏れが生じ難い。さらに全体として、尿の吸収容量を多くできる。
【図面の簡単な説明】
【図１】本発明の尿取りパッドを身体装着側を手前に向けて示す斜視図、
【図２】図１の尿取りパッドの開口部を開いた状態を示す斜視図、
【図３】図１と図２に示す尿取りパッドの使用状態を示すＩＩＩ方向の側面図、
【図４】図１と図２に示す尿取りパッドの背面図、
【図５】図３のＶ−Ｖ線の断面図、
【図６】図３のＶＩ−ＶＩ線の断面図、
【図７】図６の弾性材部分の拡大図、
【図８】図１と図２に示す尿取りパッドの袋体を構成する積層体の展開斜視図、
【図９】（Ａ）（Ｂ）は他の実施の形態の尿取りパッドの組み立て状態を説明する斜視図、
【符号の説明】
１、１Ａ  袋体
２  上端
３  下端
４  身体装着側
５  裏側
１０、１０Ａ  積層体
１１  内面シート
１２  外面シート
１３  吸収コア（液吸収体）
１４，１５，１６，１７  縁部
１４ａ，１５ａ，１６ａ，１７ａ  接合部
１８  弾性材
２０  開口部
２１  尿吸収空間
２２  尿案内層
２３  余裕空間
【図１】
0003877451.tif 000002
【図２】
0003877451.tif 000003
【図３】
0003877451.tif 000004
【図４】
0003877451.tif 000005
【図５】
0003877451.tif 000006
【図６】
0003877451.tif 000007
【図７】
0003877451.tif 000008
【図８】
0003877451.tif 000009
【図９】
0003877451.tif 000010